(57)【要約】【課題】コンバインカッターの駆動ベルトは、脱穀装置の一番螺旋軸部から、後端カッター軸部に渡って、前後方向に長い間隔に渡って掛け渡すものであるから、ベルトの側端縁部が摺接して、ベルトが摩擦損傷し易いものであり、ライン合せによる調整や、プーリ幅の変更などでは対応し難く、メンテナンスが煩雑である。【解決手段】排稈カッター６の側壁部９の前端部には、前記カッター駆動ベルト１７のＶ状面部を嵌合させて回転案内するカウンタプーリ１８を設け、このカウンタプーリ１８と、後側のカッター軸プーリ１６との間に渡って掛け渡すカッター駆動ベルト１７域の外周面を張圧揺動するテンションプーリ１９と、このテンションプーリ１９と一体回転のテンションＶプーリ２３とを設け、これらテンションプーリ１９とテンションＶプーリ２３を揺動させて、カッター駆動ベルト１７と拡散連動ベルト２２を張圧して、カッター軸１５と拡散軸２０を伝動する。【選択図】図１
2015223137.tif 000002
【特許請求の範囲】
【請求項１】
脱穀装置（１）の脱穀済排稈を後方へ搬送する排稈装置（２）を配置した排稈室（３）、及びこの排稈室（３）の下部にあって脱穀物を吸引選別して排塵する排塵ファン（４）を配置した排塵室（５）の後側に、前記排稈装置（２）から排出される排稈を受けて短かく切断して排出する排稈カッター（６）を、この排稈穂先側の機壁部に位置する回動軸（７）周りに後側へ開拡回動可能にして装着すると共に、前記排稈カッター（６）と脱穀装置（１）の排稈株元側の側壁（８），（９）の外側に沿って、前記脱穀装置（１）の一番螺旋軸（１０）端部の螺旋軸プーリ（１１）から、後側上部の排塵室（５）の排塵ファン軸（１３）端部のファン軸プーリ（１４）と、前記排稈カッター部のカッター軸（１５）端部のカッター軸プーリ（１６）との間に亘って、Ｖベルト形態のカッター駆動ベルト（１７）を掛け渡して連動するコンバインにおいて、前記排稈カッター（６）の側壁部（９）の前端部には、前記カッター駆動ベルト（１７）のＶ状面部を嵌合させて回転案内するカウンタプーリ（１８）を設けると共に、これら前後のカウンタプーリ（１８）と、カッター軸プーリ（１６）との間に渡って掛け渡すカッター駆動ベルト（１７）域の外周面を張圧するテンションプーリ（１９）と、このテンションプーリ（１９）と一体回転のテンションＶプーリ（２３）とを設け、このテンションＶプーリ（２３）と前記排稈カッター（６）下部の拡散軸（２０）端部の拡散軸プーリ（２１）との間に渡って、拡散連動ベルト（２２）を掛け渡して設け、前記テンションプーリ（１９）とテンションＶプーリ（２３）を揺動させて、カッター駆動ベルト（１７）と拡散連動ベルト（２２）を張圧して、カッター軸（１５）と拡散軸（２０）を伝動することを特徴とするコンバインにおける排稈カッターの伝動装置。
【請求項２】
前記カウンタプーリ（１８）を回転自在に軸装したカウンタプーリ軸（２８）を、このカウンタプーリ軸（２８）方向に沿って移動調節可能に構成したことを特徴とす請求項１に記載のコンバインにおける排稈カッターの伝動装置。
【請求項３】
前記排稈カッター（６）のカッターケース（２４）に対して張圧されるテンションアーム（２５）の先端部にテンションプーリ軸（２６）を設け、このテンションプーリ軸（２６）の周りに、左右両側端縁にガイドエッジ（２７）を形成した前記テンションプーリ（１９）と、このプーリ（１９）の側部に一体の前記テンションＶプーリ（２３）とを一体的に設けることを特徴とする請求項１、又は２に記載のコンバインにおける排稈カッターの伝動装置。
【発明の詳細な説明】
【技術分野】
【０００１】
この発明は、コンバインにおける排稈カッターの伝動装置に関し、Ｖベルトによる排稈カッターの伝動構成を簡単にして、円滑で、安定した伝動構成とし、ベルト損傷を軽減するものである。
【背景技術】
【０００２】
コンバインの脱穀装置部後端に配置するカッターの駆動ベルトを、前部脱穀装置の一番螺旋軸との間に長く掛け渡して、伝動構成する技術（例えば、特許文献１参照）が知られている。
【先行技術文献】
【特許文献】
【０００３】
【特許文献１】特開２０１２−１５２１５９号公報
【発明の概要】
【発明が解決しようとする課題】
【０００４】
コンバインカッターの駆動ベルトは、脱穀装置の一番螺旋軸部から、後端カッター軸部に渡って、前後方向に長い間隔に渡って掛け渡すものであるから、この駆動ベルトの途中に設けるテンションプーリのつば部（プーリ横端縁のエッジ部）に、ベルトの側端縁部が摺接して、ベルトが摩擦損傷し易いものであり、ライン合せによる調整や、プーリ幅の変更などでは対応し難く、メンテナンスが煩雑である。
【課題を解決するための手段】
【０００５】
請求項１に記載の発明は、脱穀装置１の脱穀済排稈を後方へ搬送する排稈装置２を配置した排稈室３、及びこの排稈室３の下部にあって脱穀物を吸引選別して排塵する排塵ファン４を配置した排塵室５の後側に、前記排稈装置２から排出される排稈を受けて短かく切断して排出する排稈カッター６を、この排稈穂先側の機壁部に位置する回動軸７周りに後側へ開拡回動可能にして装着すると共に、前記排稈カッター６と脱穀装置１の排稈株元側の側壁８、９の外側に沿って、前記脱穀装置１の一番螺旋軸１０端部の螺旋軸プーリ１１から、後側上部の排塵室５の排塵ファン軸１３端部のファン軸プーリ１４と、前記排稈カッター６部のカッター軸１５端部のカッター軸プーリ１６との間に渡って、Ｖベルト形態のカッター駆動ベルト１７を掛け渡して連動するコンバインにおいて、前記排稈カッター６の側壁部９の前端部には、前記カッター駆動ベルト１７のＶ状面部を嵌合させて回転案内するカウンタプーリ１８設けると共に、これら前後のカウンタプーリ１８と、カッター軸プーリ１６との間に渡って掛け渡すカッター駆動ベルト１７域の外周面を張圧するテンションプーリ１９と、このテンションプーリ１９と一体回転のテンションＶプーリ２３とを設け、このテンションＶプーリ２３と前記排稈カッター６下部の拡散軸２０端部の拡散軸プーリ２１との間に渡って、拡散連動ベルト２２を掛け渡して設け、前記テンションプーリ１９とテンションＶプーリ２３を揺動させて、カッター駆動ベルト１７と拡散連動ベルト２２を張圧して、カッター軸１５と拡散軸２０を伝動することを特徴とするコンバインにおける排稈カッターの伝動装置の構成とする。
【０００６】
コンバイン作業において、刈取装置で刈取られた穀稈が後部脱穀装置１のフィードチエンによって後方へ搬送される間に、穂先部が脱穀室に供給されて扱胴の回転により脱穀される。この脱穀装置１で脱穀された脱穀物は、下側の選別装置で選別されて、籾粒が一番螺旋軸１０の回転によって取出され、選別排塵物が脱穀装置１後端部の排塵ファン４の回転によって吸引されて機外へ排出される。このような脱穀作用において、前記脱穀装置１で脱穀された排稈は、フィードチエンの後端から排稈室３の排稈装置２によって後方の搬送されて、排稈カッター６の切断部に供給されて、短かく切断される。この排稈カッター６で切断された切断排稈は、下側の拡散軸２０の回転される拡散室部からコンバイン走行跡の刈取跡地面に排出される。
【０００７】
このような脱穀、排稈切断作用において、排稈カッター６及び拡散軸２０の連動は、前記脱穀装置１下部の一番螺旋軸１０の螺旋軸プーリ１１から、Ｖベルト形態のカッター駆動ベルト１７を介して、後端部のカッター軸プーリ１６、及びテンションプーリ１８を連動回転して、カッター軸１５を回転すると共に、前記テンションプーリ１８と一体のテンションＶプーリ２３の回転によって、拡散連動ベルト２２を介して拡散軸プーリ２１、及び拡散軸２０を回転する。
【０００８】
前記カッター駆動ベルト１７は前後方向に長く掛渡して回転伝動するが、カッター駆動ベルト１７の後端部は、カッター軸プーリ１６と、この前側に近い位置に配置のカウンタプーリ１８との間に渡って案内されるカッター駆動ベルト１７部がテンションプーリ１９によって張圧されるために、このカッター駆動ベルト１７後端部の横振れを軽減し、円滑な伝動を維持する。又、カウンタプーリ１８とカッター軸プーリ１６との前後間隔を狭く、短かくして、テンションプーリ１９をこの狭い間隔部に割込ませるように介入させて、カッター駆動ベルト１７部の横移動を規制案内する。又、前記テンションプーリ１９と一体回転のテンションＶプーリ２３は、下方の拡散軸プーリ２１との間にＶベルト形態の拡散連動ベルト２２を張圧伝動するものであるから、伝動回転状態を定位置に安定維持して、テンションプーリ１９の回転位置を安定させることができる。
【０００９】
請求項２に記載の発明は、前記カウンタプーリ１８を回転自在に軸装したカウンタプーリ軸２８を、このカウンタプーリ軸２８方向に沿って移動調節可能に構成したことを特徴とする。
【００１０】
前記のように脱穀装置１前部側の螺旋軸プーリ１１の駆動によって、後方上部のカッター軸プーリ１６を、カッター駆動ベルト１７の掛け渡しによって伝動するが、このカッター軸プーリ１６の前側位置に接近してテンションプーリ１９と、Ｖプーリ形態のカウンタプーリ１８が設けられていて、このカウンタプーリ１８によってテンションプーリ１９に対するベルトラインを合せるように維持して、カッター駆動ベルト１７の側端縁部が、前記テンションプーリ１９側部のガイドエッジ２６部に乗り上げたり、横振れや、偏位揺動して回転することを軽減することができ、円滑で、正確な伝動を行わせることができる。そして、このベルト伝動においてベルトラインが偏位しているときは、カウンタプーリ１８を、このカウンタプーリ軸２８の方向に沿って微調整移動して、前記螺旋軸プーリ１１上のベルトラインと、カッター軸プーリ１６上のベルトラインとの間を直結するベルトライン上に合わせることができる。このカウンタプーリ１８の移動は、カウンタプーリ軸２８をカッター側壁９部に対して横方向へ移動させることによって、カウンタプーリ軸２８に対するカウンタプーリ１８の回転関係位置は一定に維持されて、カウンタプーリ１８の揺動や、ベルトライン位置の変位を少くする。又、カウンタプーリ軸２８を移動することによって、操作構成共に簡単化することができ、安定した姿勢に維持設定できる。
【００１１】
請求項３に記載の発明は、前記排稈カッター６のカッターケース２４に対して張圧揺動されるテンションアーム２５の先端部にテンションプーリ軸２６を設け、このテンションプーリ軸２６の周りに、左右両側端縁にガイドエッジ２７を形成した前記テンションプーリ１９と、このプーリ１９の側部に一体のテンションＶプーリ２３とを一体的に設けることを特徴とする。
【００１２】
前記のように、カッター駆動ベルト１７の後端部がカッター軸プーリ１６の前側近傍位置に配置したカウンタプーリ１８と間の短い間隔部に掛け渡されたカッター駆動ベルト１７の外周面に、張圧されるテンションプーリ１９と一体回転のテンションＶプーリ２３を設けて、このテンションＶプーリ２３と拡散軸プーリ２１との間に渡って掛け渡し伝動する拡散連動ベルト２２を伝動回転状態において、前記テンションプーリ１９でカッター駆動ベルトの外周面（背面）を回転案内するため、カッター駆動ベルト１７を正確で、安定した位置に案内維持して回転させることができ、ベルトラインの合せ位置を狂い難くして、テンションプーリ１９の横端部のガイドエッジ（つば）２７部への乗り上り偏位を防止して、ベルト損傷を防止することができる。
【発明の効果】
【００１３】
請求項１に記載の発明は、脱穀装置１の螺旋軸プーリ１１から、後方位置に装着する排稈カッター６のカッター軸プーリ１６に渡って掛け渡すカッター駆動ベルト１７の連動において、このカッター軸プーリ１６の前側近傍位置のカッター側壁９部に、カウンタプーリ１８を設けてカッター駆動ベルト１７の後端部を案内すると共に、このカッター軸プーリ１６とカウンタプーリ１８との間に、テンションプーリ１９を張圧させると共に、このテンションプーリ１９には一体回転のテンションＶプーリ２３を設けて、拡散連動ベルト２２を張圧して拡散軸２０を伝動回転するものであるから、このテンションＶプーリ２３による拡散連動ベルト２２の掛け渡し伝動負荷によって、テンションプーリ１９の回転姿勢を安定させることができ、前記カッター駆動ベルト１７の張圧案内回転を安定した状態に維持することができる。
【００１４】
又、前記カウンタプーリ１８とカッター軸プーリ１６との間の間隔部を短かく、狭くして、この狭い間隔部にテンションプーリ１９を介入させて、カッター駆動ベルト１７を伝動状態に張圧維持するものであるから、前後方向に長く掛け渡されるカッター駆動部ベルト１７の横振れ、偏位を制限、規制することができ、ベルトライン合せを行い易くして、狂い難くし、円滑で、安定した排稈カッターの伝動を行わせることができ、ベルト損傷を少くすることができ、又、前記Ｖベルト形態のカッター駆動ベルト１７の排稈カッター側壁９部に、前記カウンタプーリ１８や、テンションプーリ１９、及びテンションＶプーリ２３等を設けるものであるから、構成が簡単である。
【００１５】
又、前記排稈カッター６は、脱穀装置１の後端壁部に対して、回動軸７周りに回動させたり、着脱することができるが、このとき前記カッター駆動ベルト１７の取外しを行うことを要するが、このカッター駆動ベルト１７の前半部が前端の螺旋軸プーリ１１からカウンタプーリ８部にわたる間隔部に亘って長く維持形成されるため、カッター駆動ベルト１７の掛け外し作業を簡単、容易化することができる。又、メンテナンス性を高めることができる。
【００１６】
請求項２に記載の発明は、前記カウンタプーリ１８を回転自在に軸受けしたカウンタプーリ軸２８をカッター側壁９に対し、このカウンタプーリ軸２８の内外側方へ移動調節することによって、ベルトラインを合わせるものであるから、カウンタプーリ１８のカウンタプーリ軸２８に対する回転位置や、回転状態等は変化し難く、常に一定した回転状態のもとにカウンタプーリ軸２８を一体として移動調節して、構成、操作を容易化、簡単化することができる。
【００１７】
又、前記のように排稈カッター６は、回動軸７の周りに開閉回動させて、メンテナンス性を容易化したり、着脱することができるが、このようなときカッター駆動ベルト１７の掛け外し操作を行うことによって、ベルトラインが偏位することがある。このときは、前記カウンタプーリ軸２８の移動調節装置によって、ベルトラインを簡単に合わせることができ、正確で、円滑なベルト伝動を行わせることができて、ベルト側縁部のテンションプーリ１９のガイドエッジ２７への乗り上げや、摩擦損傷等少なくすることができる。
【００１８】
請求項３に記載の発明は、前記テンションプーリ１９にテンションＶプーリ２３を有して、このテンションＶプーリ２３から拡散軸プーリ２１に亘ってＶベルト形態の拡散連動ベルト２２を掛け渡すため、拡散軸２０の伝動駆動負荷によってテンションプーリ１９の回転姿勢、位置を安定させて、カッター駆動ベルト１７とのテンション回転案内を円滑にして、ベルトラインの横振れを少くすることができ、ガイドエッジ２７への乗り上りを少くして、円滑で、正確な排稈カッター６の伝動駆動を行わせることができる。
【図面の簡単な説明】
【００１９】
【図１】コンバインのカッター伝動部の側面図。
【図２】そのカッター部の側面図。
【図３】その一部の平面図。
【図４】コンバインのカッター部の平面図。
【発明を実施するための形態】
【００２０】
図面に基づいて、クローラ３０を有して駆動走行する車体３１上に、脱穀装置１、刈取装置３６、運転装置３５等を搭載配置して、この脱穀装置１の後端部に排稈カッター６を設ける。前記脱穀装置１は、脱穀胴３２を前後方向の脱穀軸３３周りに回転させて、フィードチエン３４の回転によって株元部を挟扼杆との間に挟持搬送する穀稈の穂先部を脱穀する。このフィードチエン３４の前側には穀稈を刈取って搬送する刈取装置３６を設けて、刈取穀稈を搬送装置でフィードチエン３４の前端部へ搬送供給する。前記脱穀装置１の下部には、脱穀物を揺動選別する揺動選別棚等の選別装置３７を設けて、選別された籾米を一番螺旋軸１０を回転させる一番樋から取出して、前記運転席３５後側のグレンタンクに搬送収容する構成としている。この一番螺旋軸１０の後側には二番螺旋軸３８プーリを設けて、二番選別物を取出す構成としている。又、前記脱穀装置１の後側部には、前記フィードチエン３４によって搬送された脱穀済排稈を受けて後方へ搬送する排稈装置２を設けた排稈室３を形成し、この排稈室３内の株元側下部に、排塵ファン４を有した排塵室５を設ける。この排塵ファン４の回転により、前記脱穀装置１の脱穀室や、選別装置３７等からこの排塵室５に排出される排塵物を、排塵ファン４によって吸引して後側下部へ排出する形態である。
【００２１】
排稈カッター６は、脱穀装置１の後側端に取付けて、前記排稈装置２の後端部に搬送された排稈を受けて短かく切断しながら下方の拡散室３９へ落下し、この拡散室３９で回転する拡散軸２０周りの拡散具によって刈取幅方向に沿って広域に排出される。この排稈カッター６は、横方向に幅広い箱形状のカッターケース２４の内部に、前後二本の平行のカッター軸１５を軸装し、このカッター軸１５に沿って配置の円盤状カッター４０を相互に反対方向へ回転させることによって、前記上側の排稈装置２から、これらカッター４０の回転交差部に供給される排稈を、各カッター４０間の配置間隔毎の長さに短かく切断して、下方の拡散室３９へ落下排出する。
【００２２】
前記脱穀装置１の前部下側には、運転装置３５の後側下部に搭載のエンジンによって駆動回転されるエンジン軸４２を設け、このエンジン軸４２プーリ４１から上側のカウンタ軸４３をベルト４４掛け連動する。このカウンタ軸４３から上側の脱穀軸３３部を連動すると共に、ベルト４５掛け連動により、後側部の一番螺旋軸１０や、二番螺旋軸３８等を連動する。この一番螺旋軸１０のフィードチエン３４下側端部の螺旋軸プーリ１１からＶベルト形態のカッター駆動ベルト１７を介して、後方装着の排稈カッター６、及び拡散軸２０を連動し、又、前記脱穀装置１の底部に配置される選別装置３７の揺動選別棚の揺動軸４６プーリ４７をＶベルト形態のベルト４８によって連動している。又、前記排稈装置２は、フィードチエン３４の後端部からギヤ機構等を介して連動回転し、排稈室３を左右横方向姿勢にして搬送する排稈を、排稈カッター６の左右横方に渡って軸架されているカッター軸１５に沿った姿勢にして、適宜短間隔に配置の前後一対のカッター４０間上側部に搬送供給することができる。又、この排稈装置２の途中には、排稈方向を切替える切替板が設けられていて、排稈を前記カッター４０側へ供給したり、このカッター４０側への供給を停止して、後方機外側へ排出させて未切断状態のまま排出させるように切替えることができる。
【００２３】
又、この排稈カッター６の下部には、カッターケース２４から落下される切断わらを受けて刈取幅方向に亘って、広く均等層に拡散排出する拡散螺旋や、拡散ブロアー等からなる拡散具や、拡散器が、拡散軸２０によって回転される。
【００２４】
ここにおいて、脱穀装置１の脱穀済排稈を後方へ搬送する排稈装置２を配置した排稈室３、及びこの排稈室３の下部にあって脱穀物を吸引選別して排塵する排塵ファン４を配置した排塵室５の後側に、前記排稈装置２から排出される排稈を受けて短かく切断して排出する排稈カッター６を、この排稈穂先側の機壁部に位置する回動軸７周りに後側へ開拡回動可能にして装着すると共に、前記排稈カッター６と脱穀装置１の排稈株元側の側壁８，９の外側に沿って、前記脱穀装置１の一番螺旋軸１０端部の螺旋軸プーリ１１から、後側上部の排塵室５の排塵ファン軸１３端部のファン軸プーリ１４と、前記排稈カッター６部のカッター軸１５端部のカッター軸プーリ１６との間に渡って、Ｖベルト形態のカッター駆動ベルト７を掛け渡して連動するコンバインにおいて、前記排稈カッター６の側壁部９の前端部には、前記カッター駆動ベルト１７のＶ状面部を嵌合させて回転案内するカウンタプーリ１８設けると共に、これら前後のカウンタプーリ１８と、カッター軸ーリ１６との間に渡って掛け渡すカッター駆動ベルト１７域の外周面を張圧揺動するテンションプーリ１９と、このテンションプーリ１９と一体回転のテンションＶプーリ２３とを設け、このテンションＶプーリ２３と前記排稈カッター６下部の拡散軸２０端部の拡散軸プーリ２１との間に渡って、拡散連動ベルト２２を掛け渡して設け、前記テンションプーリ１９とテンションＶプーリ２３を揺動させて、カッター駆動ベルト１７と拡散連動ベルト２２を張圧して、カッター軸１５と拡散軸２０を伝動することを特徴とするコンバインにおける排稈カッターの伝動装置の構成とする。
【００２５】
コンバイン作業において、刈取装置３６で刈取られた穀稈が後部脱穀装置１のフィードチエン３４によって後方へ搬送される間に、穂先部が脱穀室に供給されて扱胴の回転により脱穀される。この脱穀装置１で脱穀された脱穀物は、下側の選別装置３７で選別されて、籾粒が一番螺旋軸１０の回転によって取出され、選別排塵物が脱穀装置１後端部の排塵ファン４の回転によって吸引されて機外へ排出される。このような脱穀作用において、前記脱穀装置１で脱穀された排稈は、フィードチエン３４の後端から排稈室３の排稈装置２によって後方の搬送されて、排稈カッター６の切断部に供給されて、短かく切断される。この排稈カッター６で切断された切断排稈は、下側の拡散軸２０の回転される拡散室３９部からコンバイン走行跡の刈取跡地面に排出される。
【００２６】
このような脱穀、排稈切断作用において、排稈カッター６及び拡散軸２０の連動は、前記脱穀装置１下部の一番螺旋軸１０の螺旋軸プーリ１１から、Ｖベルト形態のカッター駆動ベルト１７を介して、後端部のカッター軸プーリ１６、及びテンションプーリ１８を連動回転して、カッター軸１５を回転すると共に、前記テンションプーリ１８と一体のテンションＶプーリ２３の回転によって、拡散連動部ベルト２２を介して拡散軸プーリ２１、及び拡散軸２０を回転する。
【００２７】
前記カッター駆動ベルト１７は前後方向に長く掛渡して回転伝動するが、カッター駆動ベルト１７の後端部は、カッター軸プーリ１６と、この前側に近い位置に配置のカウンタプーリ１８との間に渡って案内されるカッター駆動ベルト１７部がテンションプーリ１９によって張圧されるために、このカッター駆動ベルト１７後端部の横振れを軽減し、円滑な伝動を維持する。又、カウンタプーリ１８とカッター軸プーリ１６との前後間隔を狭く、短かくして、テンションプーリ１８をこの狭い間隔部に割込ませるように介入させて、カッター駆動ベルト１７部の横移動を規制案内する。又、前記テンションプーリ１９と一体回転のテンションＶプーリ２３は、下方の拡散軸プーリ２１との間にＶベルト形態の拡散連動ベルト２２を張圧伝動するものであるから、伝動回転状態を定位置に安定維持して、テンションプーリ１９の回転位置を安定させることができる。
【００２８】
又、前記カウンタプーリ１８を回転自在に軸装したカウンタプーリ軸２８を、このカウンタプーリ軸２８方向に沿って移動調節可能に構成する。
【００２９】
前記のように脱穀装置１前部側の螺旋軸プーリ１１の駆動によって、後方上部のカッター軸プーリ１６を、カッター駆動ベルト１７の掛け渡しによって伝動するが、このカッター軸プーリ１６の前側位置に接近してテンションプーリ１９と、Ｖプーリ形態のカウンタプーリ１８が設けられていて、このカウンタプーリ１８によってテンションプーリ１９に対するベルトラインを合せるように維持して、カッター駆動ベルト１７の側端縁部が、前記テンションプーリ１９側部のガイドエッジ２７部に乗り上げたり、横振れや、偏位揺動して回転することを軽減することができ、円滑で、正確な伝動を行わせることができる。そして、このベルト伝動においてベルトラインが偏位しているときは、カウンタプーリ１８を、このカウンタプーリ軸２８の方向に沿って微調整移動して、前記螺旋軸プーリ１１上のベルトラインと、カッター軸プーリ１６上のベルトラインとの間を直結するベルトライン上に合わせることができる。このカウンタプーリ１８の移動は、カウンタプーリ軸２８をカッター側壁９に対して横方向へ移動させることによって、カウンタプーリ軸２８に対するカウンタプーリ１８の回転関係位置は一定に維持されて、カウンタプーリ１８の揺動や、ベルトライン位置の変位を少くする。又、カウンタプーリ軸２８を移動することによって、操作構成共に簡単化することができ、安定した姿勢に維持設定できる。
【００３０】
更に、前記排稈カッター６のカッターケース２４に対して張圧揺動されるテンションアーム２５の先端部にテンションプーリ軸２６を設け、このテンションプーリ軸２６の周りに、左右両側端縁にガイドエッジ２７を形成した前記テンションプーリ１９と、このプーリ１９の側部に一体のテンションＶプーリ２３とを一体的に設ける。
【００３１】
前記のように、カッター駆動ベルト１７の後端部がカッター軸プーリ１６の前側近傍位置に配置したカウンタプーリ１８と間の短い間隔部に掛け渡されたカッター駆動ベルト１７の外周面に、張圧されるテンションプーリ１９一体回転のテンションＶプーリ２３を設けて、このテンションＶプーリ２３と拡散軸プーリ２１との間に渡って掛け渡し伝動する拡散連動ベルト２２を伝動回転状態において、前記テンションプーリ１９でカッター駆動ベルトの外周面（背面）を回転案内するため、カッター駆動ベルト１７を正確で、安定した位置に案内維持して回転させることができ、ベルトラインの合せ位置を狂い難くして、テンションプーリ１９の横端部のガイドエッジ（つば）２７部への乗り上り偏位を防止して、ベルト損傷を防止することができる。  前記Ｖベルト形態のカッター駆動ベルト１７は、前端部を脱穀装置１の下方部に位置する一番螺旋軸１０のプーリ１１に巻回され、後端部を排稈カッター６の後端上部のカッター軸１５のプーリ１６に巻回している。このカッター駆動ベルト１７の後部上辺部は、前記吸引排塵ファン４のファン軸１３プーリ１４に掛け渡している。又、このファン軸１３プーリ１４の下側には、プーリ５１を側壁８に軸装して、このプーリ５１にカッター駆動ベルト１７の背面を巻回させると共に、このプーリ５１のプーリ軸５４と、前記揺動軸４６との間をＶベルト４８によりベルト掛け連動する。前記プーリ５１は、拡散連動ベルト２２側のテンションプーリ１９と同様のガイドエッジを形成する形態とすることができる。又、この揺動軸４６連動Ｖベルト４８の途中にはテンションプーリ５２を張圧させる形態としてある。
【００３２】
前記カッター駆動ベルト１７のテンションプーリ１９、テンションＶプーリ２３、及びカウンタプーリ１８には、このカッター駆動ベルト１７の後端部で下辺部カッター側壁９に配置している。排稈カッター６のカッターケース２４は、穂先側の回動軸７の周りに脱穀側壁８に対して後方へ開回動可能に装着されるが、このカッターケース２４のカッター側壁９上端部にはフックガイド５５を有して、このフックガイド５５を脱穀側壁８の後端上部に突出させたガイドピン５６に係合させることによって、カッターケース２４を定位置に取付維持することができる。
【００３３】
前記Ｖ字断面形態のカウンタプーリ１８は、カッターケース２４のカッター側壁９の前端縁近傍位置に、カウンタプーリ軸２８によって回転自在に軸装される。カッター側壁９に突出形成の取付座５７に、取付ボルト５８の周りに上下回動可能のプーリアーム５９を設けて、このプーリアーム５９の先端部に、カウンタプーリ軸２８を挿通支持させて、一対のナット６０、６１で締付けて、プーリアーム５９の両側面に挟持して取付ける。これらカウンタプーリ軸２８のナット６０、６１を回動操作することによって、このカウンタプーリ軸２８と一体のカウンタプーリ１８の取付位置を軸方向へ移動調節することができる。又、このカウンタプーリ軸２８を取付けるプーリアーム５９にはロックナット６２を設け、このロックナット６２を取付座５７に円弧状長穴６３に挿通させて案内させ、このプーリアーム５９の取付ピン５８周りの方向角度位置を変更して、ロックナット６２を締付けることにより固定することができる。
【００３４】
前記テンションプーリ１９、及びテンションプＶプーリ２３のテンションプーリ軸２６は、カッターケース２４のカッター軸１５下方位置に設定のアーム軸７３周りに上下回動されるテンションアーム２５に支持されて、スプリング６５で上方へ張圧されて、前記カッター軸プーリ１６とカウンタプーリ１８との間に掛け渡されるカッター駆動ベルト１７の回転外周面を、下辺部から上辺部に亘ってカッター軸プーリ１６周りに巻き込ませるように張圧させて、ベルト１７の張圧伝動状態を一定に維持すると共に、前記テンションＶプーリ２３を上方へ張圧することによって、拡散連動ベルト２２の張圧伝動状態をも一定に維持する。
【００３５】
前記拡散軸２０は、カッター軸１５の下方部の拡散ケース６６の側壁６７部に軸装されていて、この拡散軸２０の外側端部の拡散軸プーリ２１と、テンションＶプーリ２３との間に渡って拡散連動ベルト２２を掛け渡している。この下端部の拡散軸２０部の周りに回動自在のテンションアーム６８を設け、このテンションアーム６８の先端部のテンションプーリ６９を、拡散連動ベルト２２に対し内側からスプリング７０によって張圧させている。
【符号の説明】
【００３６】
１    脱穀装置
２    排稈装置
３    排稈室
４    排塵ファン
５    排塵室
６    排稈カッター
７    回動軸
８    側壁
９    側壁
１０  一番螺旋軸
１１  螺旋軸プーリ
１３  ファン軸
１４  ファン軸プーリ
１５  カッター軸
１６  プーリ
１７  カッター駆動ベルト
１８  カウンタプーリ
１９  テンションプーリ
２０  拡散軸
２１  拡散軸プーリ
２２  拡散連動ベルト
２３  テンションＶプーリ
２４  カッターケース
２５  テンションアーム
２６  テンションプーリ軸
２７  ガイドエッジ
２８  カウンタプーリ軸
【図１】
2015223137.tif 000003
【図２】
2015223137.tif 000004
【図３】
2015223137.tif 000005
【図４】
2015223137.tif 000006